(57)【要約】  衣料品もしくはその一部またはそのための付属品は、１μｍ以下の直径を有する繊維で少なくとも部分的に形成された布地を含む。
2011517475.tif 000002
【特許請求の範囲】
【請求項１】
１μｍ以下の直径を有する繊維で少なくとも部分的に形成された布地を含む、衣料品もしくはその部分またはそのための付属品。
【請求項２】
前記繊維の直径が５００ｎｍ〜１０００ｎｍである、請求項１に記載の衣料品。
【請求項３】
前記繊維の直径が６００ｎｍ〜８００ｎｍである、請求項２に記載の衣料品。
【請求項４】
前記繊維の直径が約７００ｎｍである、請求項３に記載の衣料品。
【請求項５】
前記繊維が、飾り縫いまたは接着によって前記衣料の本体に付着したバンドに配置されている、請求項１から４のいずれかに記載の衣料品。
【請求項６】
前記繊維が、前記衣料品の本体または前記本体の主要部分に組み込まれている、請求項１から４のいずれかに記載の衣料品。
【請求項７】
ニッカーズ、ブラジャー、ホージャリー、補正用下着、ソックスまたは手袋の形態である、請求項１から６のいずれかに記載の衣料品。
【請求項８】
前記繊維が、使用の際に着用者の皮膚に接触するように配置されている、請求項１から７のいずれかに記載の衣料品。
【請求項９】
前記繊維が、前記衣料品の外側にあり、スリップ防止面となる、請求項１から８のいずれかに記載の衣料品。
【請求項１０】
前記繊維が、ポリエステル繊維である、請求項１から９のいずれかに記載の物品。
【請求項１１】
前記ポリエステルが、化学的にリサイクルされたポリエステルである、請求項１０に記載の物品。
【発明の詳細な説明】
【技術分野】
【０００１】
本発明は衣料品またはその部分に関する。本発明はグリップ機能性（gripping functionality）を必要とする衣料品に関する。この機能性は、たとえば、女性用下着、ソックスやホージャリー、およびスポーツ用下着や上着に関して着用者の皮膚に対して働かせることができる。あるいは、グリップ機能性は、着用者の外表面、たとえばソックスの場合は靴の内側、または手袋の場合は車両のハンドルなどに対して働かせることができる。
【０００２】
本発明はたとえば、編物または織物の小幅弾性バンド、編物または織物のストリップ・カット広幅地バンド、布地構造内にある編物または織物の戦略配置構造ゾーンに用途を有する。
【背景技術】
【０００３】
現在、女性用下着分野では、グリップ機能は、シリコンのビーズを局所的に適用し、必要とされる摩擦を増加させることによって得られる。
【０００４】
この技術は次の理由で不十分である。
１．着用者が不快に感じる。材料が空気を通すことができないため、短時間でも着用していると、着用者は発汗し刺激を感じる。
２．シリコン材の丸いビーズを使用すると、皮膚に局所的な当たり跡が生じ得る。これはシリコン自体がグリップ・バンドの弾性を増やすためである。
３．シリコン・ビーズは、感受性のある人に皮膚感作を起こす場合がある。
【発明の概要】
【０００５】
本発明は、少なくとも部分的に直径１μｍ以下の繊維で形成された布地を含む衣料品もしくはその部分、またはそのための付属品を提供する。
【０００６】
以下にナノファイバーに言及するが、本明細書で使用する場合、この用語は１μｍ以下の直径を有する任意の繊維を包含すると解される。
【０００７】
ナノファイバーを組み込んだ材料を使用して必要なグリップを得ることは、既存のシリコンの適用に比べ次の利点を与える。
１．繊維が着用者に平坦な摩擦面を提示するので、当たり跡は生じないかまたは最小限である。グリップ繊維を使用した際、弾性率はさほど増加しない。したがって、ゴム弾性圧はナノファイバーの被覆率や密度とは無関係である。
２．繊維が皮膚から水分を吸い取るので、ナノファイバー材は高通気性で速乾性である。したがって発汗を除去し、着用者の快適性が高まる。
３．繊維は低アレルギー性で重金属を含まず、帯電しにくい。
【０００８】
本発明に使用するナノファイバーは任意の適切な材料から作製し得る。使用できる材料の一例はポリエステルである。ポリエステルは化学的にリサイクルされたポリエステルであってもよい。
【０００９】
本発明の特定の用途は、たとえば次の手段によって適用できるナノファイバー・グリップ・バンドに関連する。
１．編物または織物の、弾性または非弾性の小幅バンドであって、バンドを衣類の有利な位置に適切に配置することにより、着用者の皮膚を圧迫するように配向した機能性ナノファイバーを有する小幅バンド。これらは、たとえば飾り縫いまたは接着により衣類に適用し得る。
２．編物または織物構造の全体または一部にナノファイバーを含有するストリップ・カットの広幅地。このような布地は、衣類の戦略的位置にバンドを飾り縫いまたは接着することによって適用し得る。
３．皮膚に対して機能性グリップ・ナノファイバーの局所的「ゾーン」を与えるように、布地構造の一体的部分として編み込んだまたは織り込んだナノファイバー糸。このような布地構造は、たとえば飾り縫い、接着またはその他の方法で衣類に作り込むことができる。
【００１０】
たとえば、ナノファイバーはタオルと類似したループ状表面を示す裏立ち毛材料のエラスティックであってもよい。
【００１１】
本発明はスポーツ用衣料を含む、男性と女性の衣料、下着と上着のいずれにも適用可能である。
【００１２】
付随する図面は次の通りである。
【図面の簡単な説明】
【００１３】
【図１】本発明のニッカーズを示す図である。
【図２】本発明のニッカーズを示す図である。
【図３】本発明のブラジャーを示す図である。
【図４】本発明のホージャリーを示す図である。
【図５】本発明による補正用下着を示す３つの図である。
【図６】本発明の上部が柔らかいソックスを示す図である。
【図７】本発明によるソックスの別の実施形態を示す図である。
【図８】本発明の手袋を示す図である。
【図９−２２】本発明のスポーツウェア用途を示す図である。
【発明を実施するための形態】
【００１４】
次に、付随する図面を参照しながら本発明を例示としてのみ説明する。
【００１５】
添付図面の図１と図２を参照すると、図１はニッカーズ１の前面図であり、図２は図１では見えない内側の面である。ウエスト・バンド３はニッカーズの全内縁の周囲を位置Ａから位置Ｂまで延びている。同様に、レッグ・バンド５と７は、衣類の各脚部の内縁の周囲を位置Ｃから位置Ｄまで延びている。
【００１６】
各バンド３、５、７はナノファイバーを含み、ナノファイバー面は着用者の皮膚に面している。バンドは、このようにして発汗や不快感を生じることなく身体を控えめにグリップし、衣類を適所に保持している。
【００１７】
次に添付図面の図３を参照すると、マルチウェイ・アンダーワイヤー入りブラジャー９は、種々のナノファイバー・バンドを含む。脇の下のバンド１１は位置Ａから位置Ｂまで延びている。アンダーバンド内のバンド１３は位置Ｃから位置Ｄまで延びている。ワイヤーケーシングのバンド１５は位置Ｅから位置Ｆまで延びている。脱着可能ストラップの下側のバンド１７は位置Ｇから位置Ｈまで延びている。
【００１８】
図３に示す衣類は、ストラップ付きでもストラップなしでも使用できる。ストラップレス・オプションで使用する場合、ナノファイバー・バンド１１、１３および１５は身体をグリップし、衣類を適所に保持する。ストラップを使用するときには、バンド１７はストラップが適所にある場合、これらがずれることを防ぎ、機能性と快適性を共に高める。
【００１９】
添付図面の図４を見ると、本発明のホージャリー(靴下）が描かれている。ナノファイバーは、弾性小幅バンド、ストリップ・カットの広幅地中に使用し、または弾性ストレッチ・レース小幅バンドの背面に編み込むことにより、ホージャリー用のストッキング・トップ・グリップ材を得ることができる。図示されているように、上図はナノ・バックを有する弾性または小幅地バンドを示す（項目１９）。下図はナノ・バックを有するレース・トップ・バンドの使用を示す（項目２１）。
【００２０】
同様に本発明は、より短い膝丈型ホージャリーに適用することができよう。
【００２１】
本発明の図５を参照すると、マルチウェイ補正用下着の３つの図が描かれている。上図面は衣類の背面図であり、ブラジャーの内側の特徴を示す。左下の図面はブラジャーを閉じた状態の前面図、右下の図面はブラジャーを閉じた状態の背面図である。ナノファイバー・バンドは、脚縁部２３の周囲の位置Ａから位置Ｂ、脇下部２５の位置Ｃから位置Ｄ、背中を横切る下側ウイング部２７の位置Ｅから位置Ｆ、ワイヤーケーシング２９の周囲の位置Ｇから位置Ｈ、脱着可能ストラップ３１の下側の位置Ｉから位置Ｊに備えられている。
【００２２】
これらの種々の位置にナノファイバー・バンドが備えられていることにより、脱着可能ストラップを除去しても衣類は適所に留まることができよう。ストラップを使用しているときには、それが肩からずれることはなかろう。同様に、脚部のバンドにより、補正用下着に引っ張られてこの衣類がまくりあがることが防止されよう。
【００２３】
添付図面の図６を参照すると、ソックス３３は、ソックスの柔らかい上部の裏側に編み込まれたナノファイバーを有し、リブ構造は比較的緩く設計されて不快な締め付けを緩和している。しかしこの構造はより開かれているので、ソックスはよく固定されない。周囲方向ＡからＢ、長手方向ＣからＤに延びる領域３５にナノファイバーを追加することにより、柔らかい上部を皮膚に保持することができる。
【００２４】
添付図面の図７を参照すると、本発明による別のソックス３７は、ソックス底部３９の表側のＡからＢまで延びる領域に編み込まれたナノファイバーを有する。この用途は繊細なホージャリーまたは重いゲージのホージャリーの両方に適用することができる。ナノファイバーはスリップ防止領域を提供するので、履物がなくなるのを避ける助けとなり、またはずり落ちの防止を助ける。
【００２５】
添付図面の図８を参照すると、本発明の手袋４１は、指領域４３および掌領域４５の表側に編み込まれたナノファイバーを備える。ナノファイバーは、スリップ防止機能性を必要とするレジャー用またはスポーツ用途に適用するために、重いゲージまたはより軽いゲージの製品に編み込むことができる。
【００２６】
図９から図２２は、本発明の種々のスポーツウェア用途を示す。各々に１つまたは複数の斜線領域が示されており、これらはナノファイバーが存在する領域である。
【００２７】
図９は女性用または男性用の乗馬用ズボンである。図１０は女性用または男性用のランニング・ズボンである。このような衣類は膝丈または腿丈であってもよい。
【００２８】
図１１から図１３は、男性または女性に適したレッグウェア品であり、これらは体操、ランニング、サイクリング、フットボール、ラグビーおよびクリケットなどの種々の最終用途に適用できる。
【００２９】
図１４と図１５にはトライアスロン用スーツを示す。図１４は腿丈スーツを示し、図１５は足全体の長さのトライアスロン用スーツを示す。
【００３０】
図１６から図１８は、スポーツ用トップスまたはジャケットを示す。これらは男性または女性に適する。図１６と図１７には半袖および長袖の下着トップス品を示す。これらは、体操、ランニング、サイクリング、ラグビー、フットボール、クリケットおよびウェイトトレーニングなど多くの用途に適している。図１８はフィットしたサイクリング用トップスまたはジャケットを示す。
【００３１】
図１９はサポーターを示し、図２０は、下着または上着のいずれも可能な女性のスポーツ用クロップ・トップを示す。
【００３２】
図２１と図２２は男性用または女性用のサイクリング付属品を示す。図２１はフィットしたアーム・ウォーマー、図２２はフィットしたレッグ・ウォーマーである。
【００３３】
試着過程において、６００ｎｍ〜８００ｎｍの範囲、通常７００ｎｍのナノファイバーは、この繊維織物の小幅締付構造およびストラップ弾性構造の裏立ち毛に組み込むと、従来のシリコン・ビーズ製品と同等の機能性摩擦面効果の生成に有効であることが分かった。
【符号の説明】
【００３４】
１：ニッカーズ、３：ウエスト・バンド、５及び７：レッグ・バンド、９：ブラジャー、１１：脇下バンド、１３：アンダーバンド内バンド、１５：ワイヤーケーシング・バンド、１７：ストラップ下側バンド、１９：弾性または小幅地バンド、２０：レース・トップ・バンド、２３：脚縁部、２５：脇下部２５、２７：下側ウイング部、２９：ワイヤーケーシング、３１：脱着可能ストラップ、３３及び３７：ソックス、３９：ソックス底部、４１：手袋、４３：指領域、４５：掌領域、５１：ナノファイバー領域
【図１】
2011517475.tif 000003
【図２】
2011517475.tif 000004
【図３】
2011517475.tif 000005
【図４】
2011517475.tif 000006
【図５】
2011517475.tif 000007
【図６】
2011517475.tif 000008
【図７】
2011517475.tif 000009
【図８】
2011517475.tif 000010
【図９】
2011517475.tif 000011
【図１０】
2011517475.tif 000012
【図１１】
2011517475.tif 000013
【図１２】
2011517475.tif 000014
【図１３】
2011517475.tif 000015
【図１４】
2011517475.tif 000016
【図１５】
2011517475.tif 000017
【図１６】
2011517475.tif 000018
【図１９】
2011517475.tif 000019
【図２０】
2011517475.tif 000020
【図２１】
2011517475.tif 000021
【図２２】
2011517475.tif 000022
【手続補正書】
【提出日】平成22年9月22日(2010.9.22)
【手続補正１】
【補正対象書類名】特許請求の範囲
【補正対象項目名】全文
【補正方法】変更
【補正の内容】
【特許請求の範囲】
【請求項１】
１μｍ以下の直径を有する繊維で少なくとも部分的に形成された布地を含み、前記繊維が、使用の際に着用者の皮膚に接触するように配置されていることを特徴とする、衣料品もしくはその部分またはそのための付属品。
【請求項２】
前記繊維の直径が５００ｎｍ〜１０００ｎｍである、請求項１に記載の衣料品。
【請求項３】
前記繊維の直径が６００ｎｍ〜８００ｎｍである、請求項２に記載の衣料品。
【請求項４】
前記繊維の直径が約７００ｎｍである、請求項３に記載の衣料品。
【請求項５】
前記繊維が、飾り縫いまたは接着によって前記衣料の本体に付着したバンドに配置されている、請求項１から４のいずれかに記載の衣料品。
【請求項６】
前記繊維が、前記衣料品の本体または前記本体の主要部分に組み込まれている、請求項１から４のいずれかに記載の衣料品。
【請求項７】
ニッカーズ、ブラジャー、ホージャリー、補正用下着、ソックスまたは手袋の形態である、請求項１から６のいずれかに記載の衣料品。
【請求項８】
前記繊維が、前記衣料品の外側にあり、スリップ防止面となる、請求項１から７のいずれかに記載の衣料品。
【請求項９】
前記繊維が、ポリエステル繊維である、請求項１から８のいずれかに記載の衣料品。
【請求項１０】
前記ポリエステルが、化学的にリサイクルされたポリエステルである、請求項９に記載の衣料品。
【国際調査報告】
2011517475.tif 000023
2011517475.tif 000024